(57)【要約】【課題】本発明は、例えば、地面に杭打ち場所のポイントを出す場合に、前記光波測定器から発するレーザー光を受光してプリズムによりポイントを位置決めする光波測定器用受光治具に関し、位置出し作業の施工性を改善することが課題である。【解決手段】受光基台２と、該受光基台を上下方向に伸縮自在に支持する支持脚部３と、前記受光基台上において互いに直交させて据え付けられた水平器４と、前記受光基台上に設けられた照準ガイド５と、前記受光基台の上で前記照準ガイドの照準方向に沿って移動自在なガイドレール６と、該ガイドレール上に設けられるとともに前記照準方向に直交する方向に移動自在なプリズム７及びレーザーポインター８とからなる光波測定器用受光治具１とする。【選択図】    図１
2004317406.tif 000002
【特許請求の範囲】
【請求項１】
受光基台と、
該受光基台を上下方向に伸縮自在に支持する支持脚部と、
前記受光基台上において互いに直交させて据え付けられた水平器と、
前記受光基台上に設けられた照準ガイドと、
前記受光基台の上で前記照準ガイドの照準方向に沿って移動自在なガイドレールと、
該ガイドレール上に設けられるとともに前記照準方向に直交する方向に移動自在なプリズム及びレーザーポインターとからなること、
を特徴とする光波測定器用受光治具。
【請求項２】
レーザーポインターの周囲には、風除けのカバーが設けられていること、
を特徴とする請求項１に記載の光波測定器用受光治具。
【請求項３】
受光基台は、支持脚部に対して略水平面内で回転自在であること、
を特徴とする請求項１または２に記載の光波測定器用受光治具。
【発明の詳細な説明】
【０００１】
【発明の属する技術分野】
本発明は、光波測定器用受光治具に係り、詳しくは、トータルステーション等による光波測定器によって、例えば、地面に杭打ち場所のポイントを出す場合に、前記光波測定器から発するレーザー光を受光してプリズムによりポイントを位置決めする光波測定器用受光治具に関する。
【０００２】
【従来の技術】
従来において、図２に示すように、例えば、地盤の根切掘削底面１１に杭打ち等のポイントを位置決めする際に、まず、掘削上部１２にトータルステーション等の光波機器１３をセットする。次に、おおよその地点に支柱１４を立て、それに水平器付きのプリズム１５を、前記光波機器１３が覗ける高さ位置に取り付ける。
【０００３】
そして、任意のポイントを前記光波機器１３にインプットし、そのデータをもとに、左右方向の位置を認識し、プリズム１５を移動して左右角度を決定してから、次に前後方向を認識し、任意のポイントの距離を計測し、支柱１４の設置面にて、スケールで実測しプリズム１５を移動する、このような方法が知られている（例えば、特許文献１参照。）。
【０００４】
【特許文献１】
特開２００２−２５７５４４号公報（第３頁、第１図）
【０００５】
【発明が解決しようとする課題】
しかしながら、前記プリズム１５を支えている支柱１４は、直径が約１０ｍｍ程度の支柱であり、その鉛直性を保つものは、前記プリズム１５に付いている水平器だけであり、支柱１４が傾くことでポイントの誤差が生じ、プリズム位置が高いほど角度も狂いやすくなる。また、左右方向の角度も狂うこともあり、これらを修正しながら、何度もやり直してポイントを出さねばならず、多大な時間を要する作業となっている。更に、作業者１６も光波機器１３側に一人、受光側プリズムレベルに一人、下部ポイント側に一人の合計３人が必要であり、手間の掛かるものである。本発明に係る光波測定器用受光治具はこのような課題を解決するために提案されたものである。
【０００６】
【課題を解決するための手段】
上記課題を解決するために、本発明に係る光波測定器用受光治具の要旨は、受光基台と、該受光基台を上下方向に伸縮自在に支持する支持脚部と、前記受光基台上において互いに直交させて据え付けられた水平器と、前記受光基台上に設けられた照準ガイドと、前記受光基台の上で前記照準ガイドの照準方向に沿って移動自在なガイドレールと、該ガイドレール上に設けられるとともに前記照準方向に直交する方向に移動自在なプリズム及びレーザーポインターとからなることである。
【０００７】
前記レーザーポインターの周囲には、風除けのカバーが設けられていること、；
前記受光基台は、支持脚部に対して略水平面内で回転自在であること、；
を含むものである。
【０００８】
本発明に係る光波測定器用受光治具によれば、受光基台の水平性とレーザーポインターの鉛直性が精度良く維持されるので、位置出しのやり直しが無くなり、短時間で施工できるようになる。また、風除けのカバーや受光基台が回転自在であることで、更に、位置出し作業の施工性が良くなる。
【０００９】
【発明の実施の形態】
次に、本発明に係る光波測定器用受光治具１について、図面を参照して説明する。なお、発明の理解を容易にするため、従来例に対応する部分には従来例と同一の符号を付けて説明する。
【００１０】
前記光波測定器用受光治具１は、図１に示すように、矩形状の框体である、金属製、合成樹脂製、若しくは木製の受光基台２と、該受光基台２を上下方向に伸縮自在に支持する、例えば、折り畳み式の三脚等である支持脚部３と、前記受光基台２上において互いに直交させて据え付けられた水平器４ａ，４ｂと、前記受光基台２上に設けられた照準ガイド５ａ，５ｂと、前記受光基台２の上で前記照準ガイド５の照準方向ａに沿って移動自在なガイドレール６と、該ガイドレール６上に設けられるとともに前記照準方向ａに直交する方向に移動自在なプリズム７及びレーザーポインター８（図ではカバー８ａに隠れている）とからなる。
【００１１】
前記レーザーポインター８は、ガイドレール６に対して移動自在な移動部材９にその上部を繋着されて鉛直方向ｂに自然体で吊持されている。よって、風の風圧により、揺動して鉛直方向ｂからずれてしまうので、このレーザーポインター８の周囲には、風除けのカバー８ａが設けられている。
【００１２】
また、前記受光基台２は、照準方向ａに合わせるために、水平面内で回転させる必要があるので、例えば、前記支持脚部３の上部に円還状のリング（図示せず）を設け、このリングに回転自在に嵌合する断面コ字状の上リング（図示せず）を被冠させ、その上リングに矩形状の受光基台２を設けるようにすることが好ましい。これにより、受光基台２が支持脚部３に対して、略水平面内で回転自在となって、照準の位置合わせが容易となる。
【００１３】
更に、前記受光基台２には、照準方向ａに沿って、目盛り１０前記ガイドレール６にも、照準方向ａと直交する方向に目盛り１０ａが設けてある。
【００１４】
以上のようにして構成される光波測定器用受光治具１を使用するには、先ず、例えば、根切り底面上において、支持脚部３の三脚を延ばしてセットし、互いに直交する水平器４ａ，４ｂにより、受光基台２が水平となるようにする。
【００１５】
また、受光基台２の枠部から立ち上がった照準ガイド５ａ，５ｂにより、掘削上部１２の光波機器１３に照準を合わせる。この際に、受光基台２が回転自在であると、容易に照準を合わせることができる。
【００１６】
そして、プリズム７を覗いて移動部材９を左右方向にスライドさせて移動させることで合わせる。光波機器１３にて前後方向の距離と角度を計測し、その数値に合わせて、ガイドレール６を前後にスライドさせ、目的のポイントにプリズム７を位置合わせする。
【００１７】
その後、レーザーポインター８のスイッチを入れて、鉛直方向ｂにレーザー光を落とし、地盤上のポイントにマークを施す。このレーザーポインター８は、カバー８ａにより風除けされているので、鉛直性が保たれている。従来のように、何度もやり直しながら位置出しすることが無くなる。こうして、短時間で、位置出しを行うことができるようになるものである。
【００１８】
【発明の効果】
上記説明したように、本発明に係る光波測定器用受光治具は、受光基台と、該受光基台を上下方向に伸縮自在に支持する支持脚部と、前記受光基台上において互いに直交させて据え付けられた水平器と、前記受光基台上に設けられた照準ガイドと、前記受光基台の上で前記照準ガイドの照準方向に沿って移動自在なガイドレールと、該ガイドレール上に設けられるとともに前記照準方向に直交する方向に移動自在なプリズム及びレーザーポインターとからなるので、受光治具の鉛直性が確実に保たれるので、位置出し作業性が向上して短時間で作業が完了すると言う優れた効果を奏するものである。また、光波本体側と受光側との作業員２名で施工できるようになり、人員削減が可能となる。
【００１９】
前記レーザーポインターの周囲には、風除けのカバーが設けられているので、風の影響を排除できる。、また、受光基台は、支持脚部に対して略水平面内で回転自在であるので、照準合わせが容易にできるようになる。
【図面の簡単な説明】
【図１】本発明に係る光波測定器用受光治具１の使用状態の斜視図である。
【図２】従来例に係る受光治具による、位置出し作業状態を説明する説明図である。
【符号の説明】
１              光波測定器用受光治具、  ２        受光基台、
３              支持脚部、              ４        水平器、
５              照準ガイド、            ６        ガイドレール、
７              プリズム、              ８        レーザーポインター、
８ａ            カバー、                ９        移動部材、
１０，１０ａ    目盛り、
１１            根切掘削底面、          １２      掘削上部、
１３            光波機器、              １４      支柱、
１５            プリズム。
【図１】
2004317406.tif 000003
【図２】
2004317406.tif 000004